(57)【特許請求の範囲】
【請求項１】
掘削空間の所定の領域に、掘削方向に沿って互いに対向する山留め壁どうしの間に複数の杭を設置する杭設置工程と、
前記杭の前記掘削方向と直交する方向の一方側の第一空間に、前記掘削方向に案内する第一ローラーを設置する第一ローラー設置工程と、
第一支保工を前記第一ローラーにより前記掘削方向の前方に案内させて、前記第一支保工を設置する第一支保工設置工程と、
前記杭の前記掘削方向と直交する方向の他方側の第二空間に、前記掘削方向に案内する第二ローラーを設置する第二ローラー設置工程と、
第二支保工を前記第二ローラーにより前記掘削方向の前方に案内させて、前記第二支保工を設置する第二支保工設置工程と、
前記第一支保工及び前記第二支保工の対向する端部同士を該端部が対向する方向に伸縮可能な伸縮ジャッキで連結するとともに、前記第一支保工の他の端部及び前記第二支保工の他の端部でそれぞれ隣接する前記山留め壁を支持する山留め壁支持工程と、
前記所定の領域の地面にコンクリートを打設するコンクリート打設工程と、を備え、
前記所定の領域よりも前記掘削方向の前方の前方領域に対して、
前記杭設置工程から前記コンクリート打設工程を繰り返し行い、
前記第一支保工設置工程では、前記所定の領域の前記伸縮ジャッキを縮めた後に撤去した前記第一支保工を用い、
前記第二支保工設置工程では、前記所定の領域で使用した前記第二支保工を用いることを特徴とする山留め工法。
【請求項２】
前記伸縮ジャッキは、隣り合う前記杭どうしを結んだ線上に配置されている請求項１に記載の山留め工法。
【請求項３】
前記第一ローラー設置工程では、前記杭の前記掘削方向と直交する方向の一方側及び前記第一空間側の前記山留め壁側に沿ってそれぞれ前記第一ローラーを設置し、
前記第二ローラー設置工程では、前記杭の前記掘削方向と直交する方向の他方側及び前記第二空間側の前記山留め壁側に沿ってそれぞれ前記第二ローラーを設置することを特徴とする請求項１または２に記載の山留め工法。
【請求項４】
掘削空間の掘削方向に沿って互いに対向する山留め壁どうしの間に設置された杭と、
該杭の前記掘削方向と直交する方向の一方側の第一空間に設置され、前記掘削方向に案内する第一ローラーと、
前記第一ローラーにより前記掘削方向に案内可能に構成され、前記第一空間側の山留め壁を支持する第一支保工と、
前記杭の前記掘削方向と直交する方向の他方側の第二空間に設置され、前記掘削方向に案内する第二ローラーと、
前記第二ローラーにより前記掘削方向に案内可能に構成され、前記第二空間側の山留め壁を支持する第二支保工と、
前記第一支保工及び前記第二支保工の対向する端部同士を連結するとともに該端部が対向する方向に伸縮可能に構成された伸縮ジャッキと、を備えることを特徴とする支保工システム。
【発明の詳細な説明】
【技術分野】
【０００１】
本発明は、山留め工法及び支保工システムに関するものである。
【背景技術】
【０００２】
従来から、地下にトンネル等の地中構造物を構築する際には、地中構造物を構築するまでの間、地中空間の山留め壁に切梁材等の支保工が設置され、支保工により地中空間の内周が山留めされていた。
【０００３】
例えば、地中空間の互いに対向する山留め壁間に複数の支保工を設置した後に、底盤を構築し、底盤上に移動式の型枠を移動させて、地中構造物の立壁及び頂盤を構築する方法が提案されている（下記特許文献１参照）。
【先行技術文献】
【特許文献】
【０００４】
【特許文献１】特開２０００−１４５３７０号公報
【発明の概要】
【発明が解決しようとする課題】
【０００５】
ところで、上記の特許文献１では、地中構造物が構築される前の地中空間の全面にわたって支保工が設置されるため、支保工等の仮設部材が多数必要であるという問題点がある。また、互いに対向する山留め壁同士が地下空間にわたって一定間隔で配置されていない場合には、支保工で山留め壁を支持する際に調整が必要となり手間がかかるという問題点がある。
また、支保工を掘削状況に従い必要な部分だけ合理的に設置する場合には、資材の有効活用という点から支保工の移動が必要であるが、支保工を撤去して別の場所で組み立てるには懸架設備を設置するとともに多大な労力が必要となり、工期も長くなってしまう。
【０００６】
そこで、本発明は、上記事情に鑑みてなされたものであり、支保工等の仮設部材の使用数を抑えつつ、工期短縮が可能な山留め工法及び支保工システムを提供する。
【課題を解決するための手段】
【０００７】
上記目的を達成するために、本発明は以下の手段を採用している。
すなわち、本発明に係る山留め工法は、掘削空間の所定の領域に、掘削方向に沿って互いに対向する山留め壁どうしの間に複数の杭を設置する杭設置工程と、前記杭の前記掘削方向と直交する方向の一方側の第一空間に、前記掘削方向に案内する第一ローラーを設置する第一ローラー設置工程と、第一支保工を前記第一ローラーにより前記掘削方向の前方に案内させて、前記第一支保工を設置する第一支保工設置工程と、前記杭の前記掘削方向と直交する方向の他方側の第二空間に、前記掘削方向に案内する第二ローラーを設置する第二ローラー設置工程と、第二支保工を前記第二ローラーにより前記掘削方向の前方に案内させて、前記第二支保工を設置する第二支保工設置工程と、前記第一支保工及び前記第二支保工の対向する端部同士を該端部が対向する方向に伸縮可能な伸縮ジャッキで連結するとともに、前記第一支保工の他の端部及び前記第二支保工の他の端部でそれぞれ隣接する前記山留め壁を支持する山留め壁支持工程と、前記所定の領域の地面にコンクリートを打設するコンクリート打設工程と、を備え、前記所定の領域よりも前記掘削方向の前方の前方領域に対して、前記杭設置工程から前記コンクリート打設工程を繰り返し行い、前記第一支保工設置工程では、前記所定の領域の前記伸縮ジャッキを縮めた後に撤去した前記第一支保工を用い、前記第二支保工設置工程では、前記所定の領域で使用した前記第二支保工を用いることを特徴とする。
【０００８】
このように構成された山留め工法では、掘削空間の所定の領域及び所定の領域よりも掘削方向の前方の前方領域で、山留め壁を支持する第一支保工及び第二支保工を共通で使用するため、仮設部材の使用数を抑えることができ、全ての部分に支保工を設置する場合に比べ工費を抑えることができる。
また、所定の領域から前方領域に第一支保工及び第二支保工を移動させる際に、それぞれ第一ローラー及び第二ローラーにより案内させればよい。よって、支保工を他の部分から撤去して当該部分で改めて組み立て直すような場合に比べて、本発明では撤去した第一支保工及び第二支保工をそのまま使用して設置することができるため、工期を短縮することができる。
【０００９】
また、本発明に係る山留め工法は、前記伸縮ジャッキは、隣り合う前記杭どうしを結んだ線上に配置されていることが好ましい。
【００１０】
このように構成された山留め工法では、伸縮ジャッキは隣り合う杭どうしを結んだ線上に配置されているため、第一支保工及び第二支保工を撤去して、各第一支保工及び第二支保工を掘削方向に前方に移動させる際に、杭が支障となることがない。
【００１１】
また、本発明に係る山留め工法は、前記第一ローラー設置工程では、前記杭の前記掘削方向と直交する方向の一方側及び前記第一空間側の前記山留め壁側に沿ってそれぞれ前記第一ローラーを設置し、前記第二ローラー設置工程では、前記杭の前記掘削方向と直交する方向の他方側及び前記第二空間側の前記山留め壁側に沿ってそれぞれ前記第二ローラーを設置してもよい。
【００１２】
このように構成された山留め工法では、第一支保工は、杭側の端部及び隣接する山留め壁側の端部がそれぞれ第一ローラーに支持されている。また、第二支保工は、杭側の端部及び隣接する山留め壁側の端部がそれぞれ第二ローラーに支持されている。よって、第一支保工及び第二支保工をそれぞれ第一ローラー及び第二ローラーにより案内させる際に、安定的に案内させることができる。
【００１３】
また、本発明に係る支保工システムは、掘削空間の掘削方向に沿って互いに対向する山留め壁どうしの間に設置された杭と、該杭の前記掘削方向と直交する方向の一方側の第一空間に設置され、前記掘削方向に案内する第一ローラーと、前記第一ローラーにより前記掘削方向に案内可能に構成され、前記第一空間側の山留め壁を支持する第一支保工と、前記杭の前記掘削方向と直交する方向の他方側の第二空間に設置され、前記掘削方向に案内する第二ローラーと、前記第二ローラーにより前記掘削方向に案内可能に構成され、前記第二空間側の山留め壁を支持する第二支保工と、前記第一支保工及び前記第二支保工の対向する端部同士を連結するとともに該端部が対向する方向に伸縮可能に構成された伸縮ジャッキと、を備えることを特徴とする。
【００１４】
このように構成された支保工システムは、第一支保工は掘削方向に沿って設置された第一ローラーにより案内可能に構成され、第二支保工は掘削方向に沿って設置された第二ローラーにより案内可能に構成されている。よって、所定の領域における山留め壁の支持が完了すると、所定の領域よりも前方の前方領域まで、第一支保工及び第二支保工をそれぞれ第一ローラー及び第二ローラーより案内させればよい。よって、支保工を他の部分から撤去して当該部分で改めて組み立て直すような場合に比べて、本発明では撤去した第一支保工及び第二支保工をそのまま使用して設置することができるため、工期を短縮することができる。また、所定の領域及び前方領域で、第一支保工及び第二支保工を共通で使用するため、仮設部材の使用数を抑えることができ、全ての部分に支保工を設置する場合に比べ工費を抑えることができる。
【発明の効果】
【００１５】
本発明に係る山留め工法及び支保工システムによれば、支保工等の仮設部材の使用数を抑えて、作業性の良く山留めすることができる。
【図面の簡単な説明】
【００１６】
【図１】本発明の一実施形態に係る支保工システムの概略構成を示す平面図である。
【図２】本発明の一実施形態に係る支保工システムを上方から見た斜視図である。
【図３】本発明の一実施形態に係る支保工システムの第一支保工と第二支保工との連結部分周辺を切断した鉛直断面図である。
【図４】本発明の一実施形態に係る支保工システムの第一支保工及び第二支保工と山留め壁との連結部分周辺を切断した鉛直断面図である。
【図５】本発明の一実施形態に係る山留め工法を説明するため模式的な平面図である。
【図６】本発明の一実施形態に係る山留め工法を説明するため模式的な平面図であり、図５の後工程を示している。
【図７】本発明の一実施形態に係る山留め工法を説明するため模式的な平面図であり、図６の後工程を示している。
【図８】本発明の一実施形態に係る山留め工法を説明するため模式的な平面図であり、図７の後工程を示している。
【図９】本発明の一実施形態に係る山留め工法を説明するため模式的な平面図であり、図８の後工程を示している。
【発明を実施するための形態】
【００１７】
本発明の一実施形態に係る山留め工法及び支保工システムについて、図面を用いて説明する。支保工システムは、例えば、地下に設けられた駅舎、道路または鉄道等の地下空間（掘削空間）の山留め壁を支持するものである。
【００１８】
まず、支保工システムの構成について説明する。
図１は、本発明の一実施形態に支保工システムの概略構成を示す平面図である。図２は、本発明の一実施形態に支保工システムを上方から見た斜視図である。なお、図１において、支保工システムの掘削方向の前方及び後方の図示を省略している。また、図２において、支保工システムの上部の構成及び山留め壁を省略している。
図１及び図２に示すように、支保工システム１００は、掘削機等により掘削された地下空間Ｋの互いに対向する山留め壁Ｗ１，Ｗ２間に設置されている。掘削を進める掘削方向は、図１示すＸ方向（紙面下方）とする。
【００１９】
支保工システム１００は、杭１と、第一ローラー２Ａと、第二ローラー２Ｂと、第一支保工ユニット（第一支保工）３Ａと、第二支保工ユニット（第二支保工）３Ｂと、伸縮ジャッキ４と、を備えている。
【００２０】
杭１は、互いに対向する山留め壁Ｗ１，Ｗ２の略中央に、掘削方向に沿って複数配置されている。各杭１は、下端部が掘削空間の地盤（地面）Ｇに支持されるとともに、上端部が地下空間Ｋの地盤Ｇと対向する頂部（不図示。以下同じ。）に覆工桁（不図示。以下同じ。）等により拘束されている。なお、頂部は覆工桁等により必ずしも拘束されている必要はない。本実施形態では、杭１はＨ形鋼等の鋼材により構成されている。
なお、杭１を挟んで一方側（山留め壁Ｗ１側）を第一空間Ｓ１と称し、杭１を挟んで他方側（山留め壁Ｗ２側）を第二空間Ｓ２と称する。
【００２１】
図３は、第一支保工ユニット３Ａと第二支保工ユニット３Ｂとの連結部分周辺を切断した鉛直断面図である。図４は、第一支保工ユニット３Ａ及び第二支保工ユニット３Ｂと山留め壁Ｗ１，Ｗ２との連結部分周辺を切断した鉛直断面図である。
図１から図４に示すように、杭１の第一空間Ｓ１側及び第二空間Ｓ２側には、それぞれブラケット１０が設けられている。本実施形態では、杭１の両側のフランジ１Ｆ（図２参照。以下同じ。）にブラケット１０が固定されている。また、各山留め壁Ｗ１，Ｗ２の内周面ＷＳ（図１参照。以下同じ。）にもブラケット１０が設けられている。
【００２２】
図３及び図４に示すように、各ブラケット１０は、鉛直面に沿って配置された固定板部１１と、固定板部１１の上端部から固定板部１１と直交して延びる支持板部１２と、固定板部１１と支持板部１２とを斜めに連結する斜材部１３と、を有している。
【００２３】
図３に示すように、杭１に設けられたブラケット１０では、固定板部１１がフランジ１Ｆに固定されている。山留め壁Ｗ１，Ｗ２に設けられたブラケット１０では、固定板部１１が山留め壁Ｗ１，Ｗ２の内周面ＷＳに固定されている。
【００２４】
図３及び図４に示すように、第一空間Ｓ１側のブラケット１０の支持板部１２には、第一ローラー２Ａが設置されている。第一ローラー２Ａは、掘削方向と直交する水平方向を軸線方向として回転可能に構成されている。つまり、第一ローラー２Ａは、後述する第一支保工ユニット３Ａを掘削方向に案内可能である。
【００２５】
また、第二空間Ｓ２側のブラケット１０の支持板部１２には、それぞれ第二ローラー２Ｂが設置されている。第二ローラー２Ｂは、掘削方向と直交する水平方向を軸線方向として回転可能に構成されている。つまり、第二ローラー２Ｂは、後述する第二支保工ユニット３Ｂを掘削方向に案内可能である。
【００２６】
第一支保工ユニット３Ａは、第一空間Ｓ１に配置されている。図２に示すように、第一支保工ユニット３Ａは、案内梁３１と、切梁３２と、腹起し３３と、火打ち梁３４と、を有している。
【００２７】
案内梁３１は、掘削方向に延びている。案内梁３１は、各第一ローラー２Ａに支持され、掘削方向に案内可能とされている。本実施形態では、案内梁３１はＨ形鋼等の鋼材により構成されている。
【００２８】
切梁３２は、掘削方向と直交する方向に延びている。本実施形態では、第一支保工ユニット３Ａには６本の切梁３２が設けられている（図１ではそのうちの一部を示している）が、本数は適宜設定可能である。本実施形態では、切梁３２はＨ形鋼等の鋼材３６が連結プレート３７で連結されて構成されている。
【００２９】
切梁３２の杭１側の端部３２Ａは、杭１に固定されたブラケット１０上の第一ローラー２Ａに支持された案内梁３１に固定されている。
【００３０】
腹起し３３は、掘削方向に延びている。腹起し３３は、各切梁３２の山留め壁Ｗ１側の端部３２Ｚどうしを連結している。
【００３１】
腹起し３３は、山留め壁Ｗ１（図１参照。以下同じ。）に固定されたブラケット１０上の第一ローラー２Ａに支持された案内梁３１に固定されている。図４に示すように、腹起し３３と山留め壁Ｗ１との間には、モルタルＭが充填されている。本実施形態では、腹起し３３は鋼材により構成されている。
なお、モルタルＭが充填されずに、各腹起し３３が山留め壁Ｗ１，Ｗ２の内周面ＷＳに当接された構成であってもよい。または、腹起し３３と山留め壁Ｗ１，Ｗ２の内周面ＷＳとの間に土嚢袋（不図示。以下同じ。）が設置された構成であってもよい。
【００３２】
図２に示すように、火打ち梁３４は、切梁３２と腹起し３３とを斜めに連結し、切梁３２と腹起し３３との連結部分の変形を防止している。本実施形態では、火打ち梁３４は複数の鋼材が連結されて構成されている。
【００３３】
また、隣り合う切梁３２どうしは、掘削方向に延びる図示しない連結部材により連結されていてもよい。
【００３４】
第二支保工ユニット３Ｂは、第二空間Ｓ２に配置されている。第二支保工ユニット３Ｂは、案内梁３１が第二ローラー２Ｂに支持され、切梁３２の杭１側の端部３２Ａが杭１に固定されたブラケット１０上の第二ローラー２Ｂに支持された案内梁３１に支持され、腹起し３３が山留め壁Ｗ２に固定されたブラケット１０上の第二ローラー２Ｂに支持された案内梁３１に固定されている点以外は、第一支保工ユニット３Ａと同様に構成であるため、説明を省略する。
【００３５】
伸縮ジャッキ４は、第一支保工ユニット３Ａの切梁３２の杭１側の端部３２Ａと、第二支保工ユニット３Ｂの切梁３２の杭１側の端部３２Ａとを連結している。伸縮ジャッキ４は、掘削方向と直交する水平方向に伸縮可能である。伸縮ジャッキ４は、隣り合う杭１どうしを結んだ線上に配置されている。本実施形態では、伸縮ジャッキ４は油圧ジャッキが採用されている。
【００３６】
次に、上記の支保工システム１００を用いた山留め工法について、主に図５から図９を用いて説明する。
【００３７】
（第一ブロックＢ１及び第二ブロックＢ２における杭設置工程）
図５は、山留め工法を説明するため模式的な平面図である。なお、図５から図９において、第一支保工ユニット３Ａ及び第二支保工ユニット３Ｂは、それぞれ便宜上２本の切梁３２で構成されているものとして図示している。
本実施形態では、地下空間Ｋを掘削方向に例えば約２０〜３０ｍ単位でブロック分けを行い、ブロック毎に作業を進めていく。図５に示すように、第一ブロックＢ１（所定の領域）、第二ブロックＢ２（前方領域）、第三ブロックＢ３の順に作業を進めていく。
第一ブロックＢ１及び第二ブロックＢ２において、互いに対向する山留め壁Ｗ１，Ｗ２の略中央に、掘削方向に沿って複数の杭１を設置する。各杭１の下端部を地盤Ｇ（図２参照。以下同じ。）に支持させるとともに、上端部を覆工桁等で拘束させる。
【００３８】
（第一ブロックＢ１の第一空間Ｓ１及び第二ブロックＢ２の第一空間Ｓ１における第一ローラー設置工程）
次に、第一ブロックＢ１の第一空間Ｓ１及び第二ブロックＢ２の第一空間Ｓ１において、杭１の第一空間Ｓ１側のフランジ１Ｆ（図２参照。以下同じ。）及び山留め壁Ｗ１の内周面ＷＳに、それぞれブラケット１０の固定板部１１（図２参照。以下同じ。）を固定する。そして、各ブラケット１０の支持板部１２（図２参照。以下同じ。）に、第一ローラー２Ａを設置する。なお、この際に、ブラケット１０を、杭１の第二空間側及び山留壁Ｗ２の内周面にも先行して設置しておいてもよい。
【００３９】
（第一ブロックＢ１の第一空間Ｓ１における第一支保工設置工程）
予め組み立てておいた第一支保工ユニット３Ａの案内梁３１を、第一ローラー２Ａにより掘削方向の前方に案内させる。本実施形態では、第一支保工ユニット３Ａの案内梁３１の掘削方向の前方の端部３１Ａに、牽引滑車３８を設置する。牽引滑車３８に巻かれたワイヤーロープ３９を牽引する。牽引の際に、ワイヤーロープ３９のたるみが大きい場合には、ワイヤーロープ３９を第二ブロックＢ２の第一ローラー２Ａに支持させれば、牽引を円滑に行うことができる。そして、切梁３２が杭１間に配置される位置に、第一支保工ユニット３Ａを設置する。
なお、ワイヤーロープ３９の支持は、第一ローラー２Ａに限らず他の部材であってもよい。例えば、ブラケット１０で支持してもよいし、複数のブラケット１０どうしを斜材（不図示。以下同じ。）等で連結して、当該斜材で支持してもよい。
【００４０】
（第一ブロックＢ１の第二空間Ｓ２及び第二ブロックＢ２の第二空間Ｓ２における第二ローラー設置工程）
図６は、山留め工法を説明するため模式的な平面図であり、図５の後工程を示している。
図６に示すように、第一ブロックＢ１の第二空間Ｓ２及び第二ブロックＢ２の第二空間Ｓ２において、杭１の第二空間Ｓ２側のフランジ１Ｆ及び山留め壁Ｗ２の内周面ＷＳに、それぞれブラケット１０の固定板部１１を固定する。そして、各ブラケット１０の支持板部１２に、第二ローラー２Ｂを設置する。
【００４１】
（第一ブロックＢ１の第二空間Ｓ２における第二支保工設置工程）
予め組み立てておいた第二支保工ユニット３Ｂの案内梁３１を、第二ローラー２Ｂにより掘削方向の前方に案内させる。本実施形態では、第二支保工ユニット３Ｂの案内梁３１の掘削方向の前方の端部３１Ａに、牽引滑車３８を設置する。牽引滑車３８に巻かれたワイヤーロープ３９を牽引する。牽引の際に、ワイヤーロープ３９のたるみが大きい場合には、ワイヤーロープ３９を第二ブロックＢ２の第二ローラー２Ｂに支持させれば、牽引を円滑に行うことができる。そして、第二支保工ユニット３Ｂの切梁３２が第一支保工ユニット３Ａの切梁３２と対向する位置に、第二支保工ユニット３Ｂを設置する。
なお、第一空間Ｓ１の場合と同様に、ワイヤーロープ３９の支持は、第二ローラー２Ｂに限らず他の部材であってもよい。例えば、ブラケット１０で支持してもよいし、複数のブラケット１０どうしを斜材（不図示。以下同じ。）等で連結して、当該斜材で支持してもよい。
【００４２】
（第一ブロックＢ１における山留め壁支持工程）
図７は、山留め工法を説明するため模式的な平面図であり、図６の後工程を示している。
図７に示すように、第一支保工ユニット３Ａの腹起し３３及び第二支保工ユニット３Ｂの腹起し３３と山留め壁Ｗ１、Ｗ２との間に、モルタルＭ（図４参照。以下同じ。）を充填してもよい。また、第一支保工ユニット３Ａの切梁３２の杭１側の端部３２Ａと第二支保工ユニット３Ｂの杭１側の端部３２Ａとを、伸縮ジャッキ４で連結する。第一支保工ユニット３Ａ及び第二支保工ユニット３Ｂが、それぞれ山留め壁Ｗ１，Ｗ２を所望の力で支持するように、伸縮ジャッキ４を調整する。
なお、伸縮ジャッキ４のストロークが十分にあれば、モルタルＭを充填せずに、各腹起し３３を山留め壁Ｗ１，Ｗ２の内周面ＷＳに当接させてもよい。または、腹起し３３と山留め壁Ｗ１、Ｗ２の内周面ＷＳとの間に土嚢袋（不図示。以下同じ。）を設置してもよい。
【００４３】
（第一ブロックＢ１におけるコンクリート打設工程）
第一ブロックＢ１の地盤Ｇに、均しコンクリート５と打設して、養生する。
【００４４】
（第三ブロックＢ３における杭設置工程）
図８は、山留め工法を説明するため模式的な平面図であり、図７の後工程を示している。
図８に示すように、第三ブロックＢ３において、互いに対向する山留め壁Ｗ１，Ｗ２の略中央に、掘削方向に沿って複数の杭１を設置する。
なお、杭１は予め設置しておいてもよい。例えば、第一ブロックＢ１及び第二ブロックＢ２の杭１を設置する際等に、第三ブロックＢ３の杭１も設置しておいてもよい。
【００４５】
（第三ブロックＢ３の第一空間Ｓ１における第一ローラー設置工程）
次に、第三ブロックＢ３の第一空間Ｓ１において、第二ブロックＢ２の場合と同様に、ブラケット１０及び第一ローラー２Ａを設置する。
【００４６】
（第二ブロックＢ２の第一空間Ｓ１における第一支保工設置工程）
次に、第一支保工ユニット３Ａと第二支保工ユニット３Ｂとを連結している伸縮ジャッキ４（図７参照。以下同じ。）を縮めて、互いの連結を取り外す。そして、第一支保工ユニット３Ａの案内梁３１に接続されたワイヤーロープ３９を牽引して、切梁３２が杭１間に配置される位置に、第一支保工ユニット３Ａを設置する。このようにして、第一ブロックＢ１で使用された第一支保工ユニット３Ａを、第二ブロックＢ２に移動させ設置する。
【００４７】
（第三ブロックＢ３の第二空間Ｓ２における第二ローラー設置工程）
図９は、山留め工法を説明するため模式的な平面図であり、図８の後工程を示している。
図９に示すように、第三ブロックＢ３の第二空間Ｓ２において、第二ブロックＢ２の場合と同様に、ブラケット１０及び第二ローラー２Ｂを設置する。
【００４８】
（第二ブロックＢ２の第二空間Ｓ２における第二支保工設置工程）
次に、第二支保工ユニット３Ｂの案内梁３１に接続されたワイヤーロープ３９を牽引して、第二支保工ユニット３Ｂの切梁３２が第一支保工ユニット３Ａの切梁３２と対向する位置に、第二支保工ユニット３Ｂを設置する。このようにして、第一ブロックＢ１で使用された第二支保工ユニット３Ｂを、第二ブロックＢ２に移動させ設置する。
【００４９】
（第二ブロックＢ２における山留め壁支持工程）
次に、第二ブロックＢ１の場合と同様に、第一支保工ユニット３Ａの腹起し３３及び第二支保工ユニット３Ｂの腹起し３３と山留め壁Ｗ１、Ｗ２との間に、モルタルＭを充填してもよい。また、第一支保工ユニット３Ａの切梁３２の杭１側の端部３２Ａと第二支保工ユニット３Ｂの杭１側の端部３２Ａとを、伸縮ジャッキ４で調整しつつ連結する。
なお、第一ブロックＢ１の場合と同様に、伸縮ジャッキ４のストロークが十分にあれば、モルタルＭを充填せずに、各腹起し３３を山留め壁Ｗ１，Ｗ２の内周面ＷＳに当接させてもよい。または、腹起し３３と山留め壁Ｗ１、Ｗ２の内周面ＷＳとの間に土嚢袋（不図示。以下同じ。）を設置してもよい。
【００５０】
（第二ブロックＢ２におけるコンクリート打設工程）
第一ブロックＢ１の地盤Ｇに、均しコンクリート５と打設して、養生する。
このようにして、掘削方向の前方に向かって順次作業を進めていく。
【００５１】
このように構成された山留め工法及び支保工システム１００では、地下空間Ｋの第一ブロックＢ１及び第二ブロックＢ２で、山留め壁Ｗ１，Ｗ２を支持する第一支保工ユニット３Ａ及び第二支保工ユニット３Ｂを共通で使用するため、仮設部材の使用数を抑えることができ、全ての部分に支保工を設置する場合に比べ工費を抑えることができる。
【００５２】
また、第一ブロックＢ１から第二ブロックＢ２に第一支保工ユニット３Ａ及び第二支保工ユニット３Ｂを移動させる際に、それぞれ第一ローラー２Ａ及び第二ローラー２Ｂにより案内させればよい。よって、支保工を他の部分から撤去して当該部分で改めて組み立て直すような場合に比べて、本発明では掘削方向Ｘの後方で撤去した第一支保工ユニット３Ａ及び第二支保工ユニット３Ｂをそのまま掘削方向Ｘの前方で使用して、設置することができるため、工期を短縮することができとともに、改めて組み立てる場合よりも手間がない。
【００５３】
また、伸縮ジャッキ４は、隣り合う杭１どうしを結んだ線上に配置されているため、第一支保工ユニット３Ａ及び第二支保工ユニット３Ｂを撤去して、各第一支保工ユニット３Ａ及び第二支保工ユニット３Ｂを掘削方向に前方に移動させる際に、杭１が支障となることがない。
【００５４】
また、第一支保工ユニット３Ａでは、杭１側の端部及び山留め壁Ｗ１側の端部がそれぞれ案内梁３１を介して第一ローラー２Ａに支持されている。また、第二支保工ユニット３Ｂでは、杭１側の端部及び山留め壁Ｗ２側の端部がそれぞれ案内梁３１を介して第二ローラー２Ｂに支持されている。よって、第一支保工ユニット３Ａ及び第二支保工ユニット３Ｂをそれぞれ第一ローラー２Ａ及び第二ローラー２Ｂにより案内させる際に、安定的に案内させることができる。
【００５５】
なお、上述した実施の形態において示した各構成部材の諸形状や組み合わせ等は一例であって、本発明の主旨から逸脱しない範囲において設計要求等に基づき種々変更可能である。
【００５６】
例えば、上記に示す実施形態において、第一ローラー２Ａにワイヤーロープ３９を案内させるために、第二ブロックＢ２における杭設置工程及び第一ローラー設置工程を、第一ブロックＢ１の第一空間Ｓ１における第一支保工設置工程よりも先行して行ったが、本発明はこれに限られない。例えば、第一支保工ユニット３Ａを掘削方向の後方から押圧することができれば、第二ブロックＢ２における杭設置工程及び第一ローラー設置工程を、第一ブロックＢ１におけるコンクリート打設工程の後に行えばよい。第二空間Ｓ２おける場合も同様である。
【符号の説明】
【００５７】
１００…支保工システム
１…杭
１Ｆ…フランジ
２Ａ…第一ローラー
２Ｂ…第二ローラー
３Ａ…第一支保工ユニット（第一支保工）
３Ｂ…第二支保工ユニット（第二支保工）
４…伸縮ジャッキ
５…コンクリート
１０…ブラケット
３１…案内梁
３２…切梁
３３…腹起し
３４…火打ち梁
Ｂ１…第一ブロック（所定の領域）
Ｂ２…第二ブロック（前方領域）
Ｂ３…第三ブロック
Ｋ…地下空間（掘削空間）
Ｓ１…第一空間
Ｓ２…第二空間
Ｗ１，Ｗ２…山留め壁
【図１】
0006664699.tif 000002
【図２】
0006664699.tif 000003
【図３】
0006664699.tif 000004
【図４】
0006664699.tif 000005
【図５】
0006664699.tif 000006
【図６】
0006664699.tif 000007
【図７】
0006664699.tif 000008
【図８】
0006664699.tif 000009
【図９】
0006664699.tif 000010